(57)【特許請求の範囲】
【請求項１】
圧縮機と、液体供給手段によって装置本体外から供給される液体を用いて冷媒を冷却する凝縮器と、減圧機構と、蒸発器と、その蒸発器用の送風機を設けるとともに、前記凝縮器の冷却液体用の入口配管接続部と出口配管接続部および前記液体供給手段用の電源供給用接続部を装置本体の同一面に設けた空気調和装置。
【請求項２】
少なくとも圧縮機と、凝縮器と、蒸発器と、送風機を垂直方向に配設した請求項１記載の空気調和装置。
【請求項３】
電源供給用接続部を入口配管接続部および出口配管接続部よりも上部に設けた請求項１記載の空気調和装置。
【請求項４】
電源供給用接続部は装置本体の凹部に収納したことを特徴とする請求項１または３記載の空気調和装置。
【請求項５】
圧縮機と、装置本体外のタンクから液体供給手段によって供給される液体を用いて冷媒を冷却する凝縮器と、減圧機構と、蒸発器と、その蒸発器用の送風機を設けるとともに、前記凝縮器の冷却液体用の入口配管接続部と出口配管接続部および前記液体供給手段用の電源供給用接続部を装置本体の同一面に設け、かつ前記入口配管接続部と出口配管接続部の高さを前記タンクの液面より高い位置とした空気調和装置。
【請求項６】
電源供給用接続部を入口配管接続部および出口配管接続部よりも上部に設けた請求項５記載の空気調和装置。
【発明の詳細な説明】
【０００１】
【発明の属する技術分野】
本発明は、主としてトイレなどの設置スペースの小さい部屋に用いる空気調和装置に関するものである。
【０００２】
【従来の技術】
この種の空気調和装置としては、特開昭５８−２６９４１号公報に開示されているように、シスターン（ロータンク、水洗タンク）内の水で凝縮器を冷却するトイレ用空気調和装置がある。空気調和装置本体は、シスターンの上部に設置され、蒸発器の冷熱は送風機により吹き出し口より室内に吹き出され、室内を冷房する。一方、凝縮器の熱は、ポンプによって汲み上げられたシスターン内の水を散水することで、顕熱及び蒸発潜熱によって奪われ、高温多湿となった空気は排水管を介して便器に排水される。
【０００３】
他の例としては、実開平４−１０３５２５号公報があげられる。これは凝縮器を水冷する冷却水貯留用タンクを空気調和装置本体に一体的に取り付け、シスターンの予備の給水口から水道水を汲みだし、この冷却水貯留用タンクに冷却水を給水するための給水設備部を設ける構成とされている。
【０００４】
【発明が解決しようとする課題】
しかしながら、前者の構成では、シスターン上部に設置し、しかも高温多湿の空気を便器に排水する構成であることから、（１）タンクと一体構成が前提で、後付けの場合は構造が非常に複雑になる。（２）後付けの場合は空調機本体が多種多様の便器に適する形状が求められる。（３）シスターン上部以外の設置場所に取り付けることが困難である。など多くの課題を有する。
【０００５】
また、後者の構成では、給水設備に不備があったとき水漏れによる運転の停止やトイレ内を濡らすなどの課題を有していた。
【０００６】
本発明はこのような従来の課題を解決するものであり、後付けが容易で、なおかつ水漏れによる運転停止や床面を濡らすことを防止する空気調和機を提供することを目的とする。
【０００７】
【課題を解決するための手段】
上記課題を解決するために本発明は、圧縮機と、液体供給手段によって装置本体外から供給される液体を用いて冷媒を冷却する凝縮器と、減圧機構と、蒸発器と、その蒸発器用の送風機を設けるとともに、前記凝縮器の冷却液体用の入口配管接続部と出口配管接続部および前記液体供給手段用の電源供給用接続部を装置本体の同一面に設けたものである。
【０００８】
装置本体の設置後に作業を行う、入口配管接続部、出口配管接続部および電源供給用接続部を、装置本体の同一面に設けることにより、装置本体の設置場所を動かさずに後作業が容易に行えるので、狭いスペースでの設置が容易となる。
【０００９】
【発明の実施の形態】
請求項１記載の本発明は、圧縮機と、液体供給手段によって装置本体外から供給される液体を用いて冷媒を冷却する凝縮器と、減圧機構と、蒸発器と、その蒸発器用の送風機を設け、前記凝縮器の冷却液体用の入口配管接続部と出口配管接続部および前記液体供給手段用の電源供給用接続部を装置本体の同一面に設けたものである。
【００１０】
装置本体の設置後に作業を行う、入口配管接続部、出口配管接続部および電源供給用接続部を、装置本体の同一面に設けることにより、装置本体の設置場所を動かさずに後作業が容易に行えるので、狭いスペースでの設置が容易となるとともに、各接続部を設けていない面を壁面に密着させることができるので、より設置スペースを小さくすることができるとともに、壁面密着の安定した設置により装置の転倒も防止可能となる。
【００１１】
また、請求項２記載の本発明は、少なくとも圧縮機と、凝縮器と、蒸発器と、送風機を垂直方向に配設したものであり、良好な設置作業性に加えて、装置本体の設置スペースを小さくすることにより、狭いスペースでの設置を可能とする。
【００１２】
また、請求項３記載の本発明は、電源供給用接続部を入口配管接続部および出口配管接続部よりも上部に設けたものであり、良好な設置作業性を得るために同一面に配した入口
配管接続部、出口配管接続部および電源供給用接続部において、入口配管接続部または出口配管接続部から液が漏れても、電源供給用接続部に流れ込まない構成とし、ショート、故障などを防止する。
【００１３】
また、請求項４記載の本発明は、電源供給用接続部を装置本体の凹部に収納したものであり、電源供給用接続部に液体が流れ込まない構成とし、ショート、故障などを防止する。
【００１４】
さらに、請求項５記載の本発明は、圧縮機と、装置本体外のタンクから液体供給手段によって供給される液体を用いて冷媒を冷却する凝縮器と、減圧機構と、蒸発器と、その蒸発器用の送風機を設けるとともに、凝縮器の冷却液体用の入口配管接続部と出口配管接続部および液体供給手段用の電源供給用接続部を装置本体の同一面に設け、かつ入口配管接続部と出口配管接続部の高さをタンクの液面より高い位置としたものである。
【００１５】
装置本体の設置後に作業を行う、入口配管接続部、出口配管接続部および電源供給用接続部を、装置本体の同一面に設けることにより、装置本体の設置場所を動かさずに後作業が容易に行えるので、狭いスペースでの設置が容易となるとともに、各接続部を設けていない面を壁面に密着させることができるので、より設置スペースを小さくすることができるとともに、壁面密着の安定した設置により装置の転倒も防止可能となる。さらに、入口配管接続部と出口配管接続部に接続された配管が外れた場合でも、入口配管接続部と出口配管接続部の高さをタンクの液面より高い位置としたことにより、床面を大きく濡らすことがない。
【００１６】
さらに、請求項６記載の本発明は、請求項５の発明において電源供給用接続部を入口配管接続部および出口配管接続部よりも上部に設けたものであり、良好な設置作業性を得るために同一面に配した入口配管接続部、出口配管接続部および電源供給用接続部において、入口配管接続部または出口配管接続部から液が漏れても、電源供給用接続部に流れ込まない構成とし、ショート、故障などを防止する。
（実施の形態）
以下本発明の実施の形態について図面を参照して説明する。
【００１７】
図１は本発明の実施の形態を示す空気調和装置の正面図である。図２は同空気調和装置の構成図である。
【００１８】
空気調和装置本体１は、圧縮機１１の上部に螺旋状に形成された水冷凝縮器１２を配置し、その上部にＵ字状に湾曲した蒸発器１３を配置し、さらにその上部に蒸発器１３用の送風機１４を配置する。そして、この空気調和装置を構成する主要部品（圧縮機１１、水冷凝縮器１２、蒸発器１３、送風機１４）は、下から重量の重い順に垂直方向に配置することで、設置スペースを小さくすることができるとともに、空気調和装置本体１の重心を最も低い位置にすることができ、倒れにくく、安定して床面に置くことが可能な構成になっている。
【００１９】
圧縮機１１から吐出された冷媒は水冷凝縮器１２に入り、熱交換した後、減圧機構である絞り１６を介して蒸発器１３に入り、熱交換して圧縮機１１に戻るという周知のサイクルを構成している。
【００２０】
また水冷凝縮器１２を冷却する冷却水１８は、水冷式空気調和機本体１の外部に設けた冷却水容器（タンク）１７内に蓄えられており、その冷却水容器１７内に循環ポンプ（液体供給手段）１５が備えられている。入口配管接続部２と出口配管接続部３は冷却水１８の水面より上部に設けてある。冷却水１８は循環ポンプ１５により矢印の向きに配管２１ａを通り、入口配管接続部２を介して配管２１ｂを通り、水冷凝縮器１２に入る。水冷凝縮器１２内で冷媒を冷却した後、暖められた冷却水は配管２２bを通り、出口配管接続部３を介して配管２２ａを通り、矢印の向きに流出し、再び冷却水容器１７内へ戻る。
【００２１】
本体１に電源を供給するコンセント４があり、本体１に電源を供給している。５は循環ポンプ１５に電源を供給する循環ポンプコードであり、電源供給用接続部６に接続され、循環ポンプに電源を供給している。
【００２２】
なお、蒸発器１３の下にはドレン受け皿１３ａまたはドレンタンクが設けられており、このドレン受け皿１３ａはドレンを受けるほか、入口配管接続部２または出口配管接続部３から漏れた水を受ける機能を持ち、仮に入口配管接続部２または出口配管接続部３から水が漏れても床面を濡らさないようになっている。
【００２３】
図３は図１のＡＡ断面図であり、循環ポンプ１５に電源を供給する電源供給用接続部６が本体１の凹部１ａの入口配管接続部２、出口配管接続部３と同一面でかつ、上部に設けられているので、他の面が壁面に密着でき、倒れにくく設置することができる。また、入口配管接続部２、出口配管接続部３から電源供給用接続部６に水が流れることによって発生する本体の故障も防止でき、循環ポンプコード５を伝わった水が冷却水容器１７に流れる前に滴下し、床面を濡らすこともない。さらに電源供給用接続部６が容易に外れないので安定して利用者に冷風を供給することができる。
【００２４】
また、既に設置された冷却水容器１７（例えばトイレの水洗タンク）であっても、循環ポンプ１５のみを冷却水容器１７に浸漬し、冷却水用の配管２１ａ、２２ａを接続するだけで、呼び水などは必要なく、容易に空気調和装置を取り付けることができるようになっている。
【００２５】
なお、空気は、図２に示すように、蒸発器１２の風上側のＷ１側から流入し、蒸発器１２を通過し、冷やされ、吹き出し口７よりＷ２側へ流出する。
【００２６】
つぎに水冷凝縮器１２について、図４をもとに説明する。水冷凝縮器１２は二重管熱交換方式となっており、内管５２と外管５５とからなり、内管５２内は冷媒が矢印Ａ１のように流れ、外管５５と内管５２で作られたドーナッツ状の流路には矢印Ｂ２の向きに冷却水が流れる。この管を湾曲に曲げながら螺旋状にしたものが水冷凝縮器１２となる。
【００２７】
次に冷風の吹き出し口について説明する。図５は、トイレの便器９５に座った人９６と本空気調和装置の関係を示したものである。水冷式空気調和装置本体１を人９６の斜め後方に設置し、肩付近９７に冷風を当てる。吹き出し口７の高さを床面からの高さで７００ｍｍ〜９００ｍｍの間になるようにしている。この構成により、人が洋式便座に座った際、冷気の気流９８を、涼しいと感じる場所、例えば肩付近９７に容易に当てることができる。
【００２８】
なお、上記実施の形態では、凝縮器１３を水冷式とし冷却液体として水を用いたが、冷却機能を有し、取り扱いに障害のない液体であれば水以外の液体を用いても良い。
【００２９】
【発明の効果】
上記実施の形態の説明から明らかなように、請求項１記載の本発明は、圧縮機と、液体供給手段によって装置本体外から供給される液体を用いて冷媒を冷却する凝縮器と、減圧機構と、蒸発器と、その蒸発器用の送風機を設けるとともに、前記凝縮器の冷却液体用の入口配管接続部と出口配管接続部および前記液体供給手段用の電源供給用接続部を装置本体の同一面に設けたことにより、装置本体の設置場所を動かさずに後作業が容易に行えるので、狭いスペースでの設置が容易となるとともに、各接続部を設けていない面を壁面に密着させることができるので、より設置スペースを小さくすることができるとともに、壁面密着の安定した設置により装置の転倒も防止可能となる。
【００３０】
また、請求項２記載の本発明は、少なくとも圧縮機と、凝縮器と、蒸発器と、送風機を垂直方向に配設したものであり、良好な設置作業性に加えて、装置本体の設置スペースを小さくすることにより、狭いスペースでの設置を可能とする。
【００３１】
また、請求項３記載の本発明は、電源供給用接続部を入口配管接続部および出口配管接続部よりも上部に設けたものであり、良好な設置作業性を得るために同一面に配した入口配管接続部、出口配管接続部および電源供給用接続部において、入口配管接続部または出口配管接続部から液が漏れても、電源供給用接続部に流れ込まない構成とし、ショート、故障などを防止する。
【００３２】
また、請求項４記載の本発明は、電源供給用接続部を装置本体の凹部に収納したものであり、電源供給用接続部に液体が流れ込まない構成とし、ショート、故障などを防止する。
【００３３】
さらに、請求項５記載の本発明は、圧縮機と、装置本体外のタンクから液体供給手段によって供給される液体を用いて冷媒を冷却する凝縮器と、減圧機構と、蒸発器と、その蒸発器用の送風機を設けるとともに、凝縮器の冷却液体用の入口配管接続部と出口配管接続部および液体供給手段用の電源供給用接続部を装置本体の同一面に設け、かつ入口配管接続部と出口配管接続部の高さをタンクの液面より高い位置としたものである。これにより、装置本体の設置場所を動かさずに後作業が容易に行えるので、狭いスペースでの設置が容易となるとともに、各接続部を設けていない面を壁面に密着させることができるので、より設置スペースを小さくすることができるとともに、壁面密着の安定した設置により装置の転倒も防止可能となる。さらに、入口配管接続部と出口配管接続部に接続された配管が外れた場合でも、入口配管接続部と出口配管接続部の高さをタンクの液面より高い位置としたことにより、床面を大きく濡らすことがない。
【００３４】
さらに、請求項６記載の本発明は、請求項５の発明において電源供給用接続部を入口配管接続部および出口配管接続部よりも上部に設けたものであり、良好な設置作業性を得るために同一面に配した入口配管接続部、出口配管接続部および電源供給用接続部において、入口配管接続部または出口配管接続部から液が漏れても、電源供給用接続部に流れ込まない構成とし、ショート、故障などを防止する。
【図面の簡単な説明】
【図１】  本発明の実施の形態における空気調和装置の正面図
【図２】  同装置および冷却水容器の構成図
【図３】  図１のＡＡ断面図
【図４】  同空気調和装置に設ける水冷凝縮器の長手方向の断面図
【図５】  同空気調和装置をトイレに設置した状態を示す構成図
【符号の説明】
１  空気調和装置本体
２  入口配管接続部
３  出口配管接続部
６  電源供給用接続部
１１  圧縮機
１２  水冷凝縮器
１３  蒸発器
１３ａ  ドレン受け皿
１４  送風機
１７  冷却水容器
１８  冷却水
【図１】
0003757822.tif 000002
【図２】
0003757822.tif 000003
【図３】
0003757822.tif 000004
【図４】
0003757822.tif 000005
【図５】
0003757822.tif 000006